(57)【要約】開放端（４）を有する容器（３）、および開放端（４）を開閉する開放位置と閉鎖位置間で回転するために容器（３）に蝶番止めされた蓋（５）を有するタバコ製品用硬質包装容器（１）。蓋（５）が閉鎖位置のときに容器（３）は実質的平行六面体を形成し、かつ上および下の二つの端壁（７，８）、ならびに端壁（７，８）により結合されかつ前および後の二つの主側壁（１０，１１）、および二つの小側壁（９）を有する側面を含む。四つの長手縁（１２）が主側壁（１０，１１）と前記小側壁（９）との間に形成され、かつ長手を横切る八つの横縁（１３）が端壁（７，８）と側壁（９，１０，１１）との間に形成されている。蓋（５）は後の主側壁（１１）に形成された蝶番（６）に沿ってかつ長手縁（１２）と平行に蝶番止めされている。更に、蓋（５）は端壁（７，８）の一部、主側壁（１０，１１）の一部、および小側壁（９）を含む。タバコ製品は外容器内に滑動自在に受けられた内容器（１４）内に保持される。
2006500296.tif 000002
【特許請求の範囲】
【請求項１】
開放端（４）を有する第一容器（３）、および前記開放端（４）を開閉する開放位置と閉鎖位置間で回転するために第一容器（３）に蝶番止めされた蓋（５）を含み、
前記蓋（５）が閉鎖位置のときに、第一容器（３）は実質的平行六面体を形成し、かつ上および下の二つの端壁（７，８）、ならびに前および後の二つの主側壁（１０，１１）、二つの小側壁（９）、前記主側壁（１０，１１）と前記小側壁（９）との間に各々が形成された四つの長手縁（１２）、および各々が前記端壁（７，８）と主側壁および小側壁（９，１０，１１）との間に形成された長手を横切る八つの横縁（１３）を含みかつ前記端壁（７，８）に結合された側面を含み、かつ
前記蓋（５）は前記後の主側壁（１１）に形成された蝶番（６）に沿ってかつ前記長手縁（１２）と平行に蝶番止めされ、かつ
前記蓋（５）が前記端壁（７，８）の一部、前記主側壁（１０，１１）の一部、および小側壁（９）を含む、タバコ製品用硬質包装容器（１）において、
前記包装容器（１）がタバコ製品（２）を収容するための第二容器（４）を含み、かつ第二容器（４）は、第二容器（１４）が第一容器（３）の内側へ完全に挿入される挿入位置と、第二容器（１４）が第一容器（３）から引き出されて第一容器（３）の開放端（４）から突出する引き出し位置との間で、第一容器（３）に対して滑動するために滑動可能に第一容器（３）の内側に収容されていることを特徴とする、タバコ製品用硬質包装容器。
【請求項２】
前記蓋（５）が閉鎖位置のときに、少なくとも前記前主側壁（１０）で、前記蓋（５）の縁（３１）は第一容器（３）の縁（３２）から分離してその下の第二容器（１４）を部分的に露出させることを特徴とする、請求項１に記載の包装容器。
【請求項３】
前記蓋（５）の縁（３１）は、前記蓋（５）の縁（３１）と第一容器（３）の縁（３２）間との距離が一定であるように、第一容器（３）の前記前主側壁（１０）に沿って、第一容器（３）の縁（３２）と平行であることを特徴とする、請求項２に記載の包装容器。
【請求項４】
第一容器（３）の前記前主側壁（１０）に沿って、前記蓋（５）の縁（３１）と第一容器（３）の縁（３２）との間の距離は変化していることを特徴とする、請求項２に記載の包装容器。
【請求項５】
前記蓋（５）が閉鎖位置のときに、前記端壁（７，８）で、前記蓋（５）は第一容器（３）の縁（３２）と実質的に接触していることを特徴とする、請求項２から４のいずれか１に記載の包装容器。
【請求項６】
前記蓋（５）の縁（３１）および第一容器（３）の縁（３２）は直線により形成されていることを特徴とする、請求項２から５のいずれか１に記載の包装容器。
【請求項７】
前記蓋（５）の縁（３１）および第一容器（３）の縁（３２）は曲折線により形成されていることを特徴とする、請求項２から５のいずれか１に記載の包装容器。
【請求項８】
前記蓋（５）の縁（３１）および第一容器（３）の縁（３２）は曲線により形成されていることを特徴とする、請求項２から５のいずれか１に記載の包装容器。
【請求項９】
第二容器（１４）は実質的平行六面体であり、かつ上および下の二つの端壁（１５，１６）、ならびに前記上下端壁（１５，１６）により結合された側面を含み、前記側面が前および後の主側壁（１７）、二つの小側壁（１８）、各々が前記主側壁（１７）と前記小側壁（１８）との間に形成された四つの長手縁（１９）、および各々が前記上下端壁（１５，１６）と前記主側壁および小側壁（１７，１８）との間に形成された長手を横切る八つの横縁（２０）を含み、第二容器（１４）の上端壁（１５）は、第二容器（１４）が引き出し位置のときに、第二容器（１４）からタバコ製品を抜き出す開放位置（２１）を含むことを特徴とする、請求項１から８のいずれか１に記載の包装容器。
【請求項１０】
第二容器（１４）の長手縁（１９）は円弧縁であることを特徴とする、請求項９に記載の包装容器。
【請求項１１】
第一容器（３）の長手縁（１２）は角縁であることを特徴とする、請求項１０に記載の包装容器。
【請求項１２】
第一容器（３）の長手縁（１２）は円弧縁であることを特徴とする、請求項１０に記載の包装容器。
【請求項１３】
第二容器（１４）は、長手折り目線（２５）の二つの群（２４）、ならびに前記長手折り目線（２５）の二つの群（２４）間で、前記上端壁（１５）の一部を形成する第一パネル（１５’）、一方の前記主側壁（１７）を形成する第二パネル（１７’）、前記下端壁（１６）を形成する第三パネル（１６’）、他方の前記主側壁（１７）を形成する第四パネル（１７”）、および前記上端壁（１５）の一部を形成する第五パネル（１５”）を含むフラットブランク（２３）から形成され、
第二パネル（１７’）は二つのウイング（１８’）を含み、二つの前記ウイング（１８’）は第二パネル（１７’）の両側に位置し、長手折り目線（２５）の二つの群（２４）により第二パネル（１７’）から分離し、かつ前記小側壁（１８）に対応する部分を形成し、
第四パネル（１７”）は二つの第二ウイング（１８”）を含み、二つの第二ウイング（１８”）は第四パネル（１７”）の両側に位置し、第四パネル（１７”）から長手折り目線（２５）の二つの群（２４）により分離し、かつ前記小側壁（１８）に対応する部分を形成し、かつ
前記長手折り目線（２５）の各群（２４）は複数の長手折り目線（２５）を含むことを特徴とする、請求項１０に記載の包装容器。
【請求項１４】
第一容器（３）は、二つの長手折り目線（２８）、ならびに二つの前記長手折り目線（２８）間に、前記前主側壁（１０）の一部を形成する第一パネル（１０’）、一方の前記小側壁（１１）を形成する第二パネル（９’）、前記後主側壁（１１）を形成する第三パネル（１１’）、他方の前記小側壁（９）を形成する第四パネル（９”）、および前記前主側壁（１０）の残部を形成する第五パネル（１０”）を形成する複数の横切る方向の折り目線（２９）を含むフラットブランク（２７）から形成され、
第一、第三および第四パネル（１０’，１１’，１０”）はそれぞれ対のウイング（７’，８’）を有し、前記ウイング（７’，８’）は第一、第三および第四パネル（１０’，１１’，１０”）の両側に位置し、前記長手折り目線（２８）により第一、第三および第四パネル（１０’，１１’，１０”）から分離し、かつ前記端壁（７，８）を形成し、
第三パネル（１１’）の各ウイング（７’，８’）は二つのウイング（９’”）を有し、二つの前記ウイング（９’”）はウイング（７’，８’）の両端に位置し、長手を横切る横折り目線（２９）によりウイング（７’，８’）から分離し、かつ前記小側壁（９）のそれぞれの内部を形成することを特徴とする、請求項１から１３のいずれか１に記載の包装容器。
【請求項１５】
前記容器（３，１４）の少なくとも一方の少なくとも一つの縁（１２，１３，１９，２０）は四角でない縁であることを特徴とする、請求項９に記載の包装容器。
【請求項１６】
前記容器（３，１４）の少なくとも一方の少なくとも一つの縁（１２，１３，１９，２０）は四角でない円弧状縁であることを特徴とする、請求項１５に記載の包装容器。
【請求項１７】
前記容器（３，１４）の少なくとも一方の少なくとも一つの縁（１２，１３，１９，２０）は四角でない面取り縁であることを特徴とする、請求項１５に記載の包装容器。
【請求項１８】
前記容器（３，１４）の少なくとも一方の少なくとも一つの側壁（９，１０，１１，１７，１８）は外方に突出した形態を有し、シャープな長手縁（１２，１９）に沿って少なくとも一つの対応する側壁（９，１０，１１，１７，１８）に連結され、かつその側壁（９，１０，１１，１７，１８）と共に実質的鈍角の二面角を形成していることを特徴とする、請求項１５に記載の包装容器。
【請求項１９】
前記容器（３，１４）の少なくとも一方の少なくとも一つの側壁（９，１０，１１，１７，１８）は外方に突出した形態を有し、長手を横切るシャープな横縁（１３，２０）に沿って少なくとも一つの対応する端壁（７，８，１５，１６）に連結され、かつその端壁（７，８，１５，１６）と共に実質的鈍角の二面角を形成していることを特徴とする、請求項１５に記載の包装容器。
【請求項２０】
前記蓋（５）と反対側の第一容器（３）の小側壁（９）は使用者の指の挿入を可能にする寸法の少なくとも一つの貫通孔（３２）を含むことを特徴とする、請求項１から１０のいずれか１に記載の包装容器。
【請求項２１】
第一容器（３）からの第二容器（１４）の分離を防止するために、第一容器（３）に対する第二容器（１４）の滑動を制限する停止手段を含むことを特徴とする、請求項１から２０のいずれか１に記載の包装容器。
【請求項２２】
前記停止手段は、第二容器（１４）の主側壁（１７）から第二容器（１４）のの外方へ突出する少なくとも一つの第一舌部、および第一容器（３）の主側壁（１０，１１）から第一容器（３）の内方へ突出しかつ第一容器（３）の開放端（４）の近くに位置する第二舌部を含み、前記第一および第二舌部は、第二容器（１４）が第一容器（３）から滑動するときに第一舌部が第二舌部と係合するように位置決めされていることを特徴とする、請求項２１に記載の包装容器。
【請求項２３】
開放端（４）を有する容器（３）、および前記開放端（４）を開閉する開放位置と閉鎖位置間で回転するために前記容器（３）に蝶番止めされた蓋（５）を含み、
前記蓋（５）が閉鎖位置のときに前記容器（３）は実質的平行六面体を形成し、かつそれぞれ上および下の二つの端壁（７，８）、ならびに前記端壁（７，８）に結合されかつ前および後の二つの主側壁（１０，１１）、二つの小側壁（９）、前記主側壁（１０，１１）と前記小側壁（９）との間に各々が形成された四つの長手縁（１２）、および各々が前記端壁（７，８）と主側壁および小側壁（９，１０，１１）との間に形成された長手を横切る八つの横縁（１３）を含む側面を含み、
前記蓋（５）が前記後の主側壁（１１）に形成された蝶番（６）に沿ってかつ前記長手縁（１２）と平行に蝶番止めされ、かつ
前記蓋（５）が前記端壁（７，８）の一部、前記主側壁（１０，１１）の一部、および小側壁（９）を含み、
前記容器（３）がカラー（３０）を有し、前記カラーが前記開放端（４）から一部突出し、少なくとも前記容器（３）の上端壁（７）でタバコ製品（２）の抜き取り開口を形成し、かつ前記蓋（５）が閉鎖位置のときに前記蓋（５）の対応する内面と係合するタバコ製品用硬質包装容器（１）において、
前記蓋（５）が閉鎖位置のときに、少なくとも前記前主側壁（１０）で、前記蓋（５）の縁（３１）は前記容器（３）の縁（３２）から分離して前記開放端（４）から突出するその下にあるカラー（３０）の部分を一部露出させることを特徴とする、タバコ製品用硬質包装容器。
【請求項２４】
前記蓋（５）の縁（３１）は、前記蓋（５）の縁（３１）と前記容器（３）の縁（３２）との間の距離は一定であるように、前記容器（３）の前記前主側壁（１０）に沿って前記容器（３）の縁（３２）と平行であることを特徴とする、請求項２３に記載の包装容器。
【請求項２５】
前記容器（３）の前記前主側壁（１０）に沿って、前記蓋（５）の縁（３１）と前記容器（３）の縁（３２）との間の距離は変化していることを特徴とする、請求項２３に記載の包装容器。
【請求項２６】
前記蓋（５）が閉鎖位置のときに、前記端壁（７，８）で、前記蓋（５）の縁（３１）は前記容器（３）の縁（３２）と実質的に接触することを特徴とする、請求項２３から２５のいずれか１に記載の包装容器。
【請求項２７】
前記蓋（５）の縁（３１）および第一容器（３）の縁（３２）は直線により形成されていることを特徴とする、請求項２３から２６のいずれか１に記載の包装容器。
【請求項２８】
前記蓋（５）の縁（３１）および第一容器（３）の縁（３２）は曲折線により形成されていることを特徴とする、請求項２３から２６のいずれか１に記載の包装容器。
【請求項２９】
前記蓋（５）の縁（３１）および第一容器（３）の縁（３２）は曲線により形成されていることを特徴とする、請求項２３から２６のいずれか１に記載の包装容器。
【請求項３０】
前記容器（３）は、二つの長手折り目線（２８）、ならびに二つの前記長手折り目線（２８）間に、前記前主側壁（１０）の一部を形成する第一パネル（１０’）、一方の前記小側壁（９）を形成する第二パネル（９’）、前記後主側壁（１１）を形成する第三パネル（１１’）、他方の前記小側壁（９）を形成する第四パネル（９”）、および前記前主側壁（１０）の残部を形成する第五パネル（１０”）を形成する長手を横切る複数の横折り目線（２９）を含むフラットブランク（２７）から形成され、
第一、第三および第四パネル（１０’，１１’，１０”）はそれぞれ対のウイング（７’，８’）を有し、前記ウイングは第一、第三および第四パネル（１０’，１１’，１０”）の両側に位置し、前記長手折り目線（２８）により第一、第三および第四パネル（１０’，１１’，１０”）から分離し、かつ前記端壁（７，８）を形成し、
第三パネル（１１’）の各ウイング（７’，８’）は二つのウイング（９’”）を有し、二つの前記ウイング（９’”）は前記ウイング（７’，８’）の両端に位置し、そのウイング（７’，８’）から長手を横切る横折り目線（２９）により分離し、かつ前記小側壁（９）のそれぞれの内部を形成することを特徴とする、請求項２３から２９のいずれか１に記載の包装容器。
【発明の詳細な説明】
【技術分野】
【０００１】
本発明はタバコ製品用硬質包装容器に関する。
本発明は硬質シガレットパケットに特に有利に使用でき、続く説明は単に例示として記載されている。
【背景技術】
【０００２】
硬質シガレットパケットは、通常、開放上端を有するカップ形下容器、および下容器の開放端を開閉する開放位置および閉鎖位置間で下容器に対して回転させるために蝶番に沿って下容器に蝶番止めされたカップ形上蓋を含む。蓋が閉鎖位置のときに、パケットは実質的に平行六面体であり、かつそれぞれ上および下の二つの端壁、および前記端壁により結合されかつそれぞれ前および後の二つの主側壁により形成された側面、ならびに二つの小側壁を含む。四つの長手縁は小側壁と主側壁間に形成される。長手縁を横切る、長手縁よりも小さい八つの横縁は、前記側壁と端壁間に形成される。蓋の蝶番は後壁に、後壁と端壁間に形成される横縁に平行に形成される。
【０００３】
スライド開放型硬質シガレットパケットは、また、特許出願番号ＦＲ２４９９９４７−Ａ３、ＵＳＰ４５３４４６３−Ａｌ、またはＵＳＰ５０８０２２７−Ａ１に開示されたように既知である。スライド開放型硬質シガレットパケットは、シート状フォイルに包まれた一群のシガレットを収容するための第一容器を含み、かつ第一容器は、第一容器が第二容器の内側へ完全に挿入される挿入位置と、第一容器が第二容器から引き出される引き出し位置との間で第二容器に対して滑動するように第二容器の内側に収容される。各容器は実質的に平行六面体であり、かつ二つの端壁を含み、端壁を介して結合されかつ対応する四角い長手縁を介して相互から分離した側壁により形成された側面を含む。
【０００４】
製造が比較的容易であることにより市販されかつ喫煙者には一般的であるが、上記タイプの硬質シガレットパケットは、パケットの内側にシガレットを効果的に保護する点に欠け、そのパケットを使用者がポケットに入れて運搬するときに、蝶番式蓋を有するパケットの蓋およびスライド開放型パケットの内容器の両者が開放する傾向があり、その結果としてシガレットが脱出する。
【０００５】
【特許文献１】ＦＲ２４９９９４７−Ａ３
【特許文献２】ＵＳＰ４５３４４６３−Ａｌ
【特許文献３】ＵＳＰ５０８０２２７−Ａ１
【特許文献４】ＥＰ−Ａ１−１０６６２０６
【特許文献５】ＩＴ−ＢＯ０１Ａ０００５８４
【特許文献６】ＥＰ−Ａ１−０７６４５９５
【発明の開示】
【発明が解決しようとする課題】
【０００６】
本発明の課題は、上記欠点を解消するように設計され、かつ特に製造が廉価かつ容易なタバコ製品用硬質包装容器を提供することにある。
【課題を解決するための手段】
【０００７】
本発明によれば、タバコ製品用硬質包装容器が提供される。前記包装容器は、開放端を有する第一容器、および前記開放端を開閉する開放位置と閉鎖位置間で回転するために第一容器に蝶番止めされた蓋を含み、前記蓋が閉鎖位置のときに、第一容器は実質的平行六面体を形成し、かつそれぞれ上および下の二つの上下端壁、ならびに前および後の二つの主側壁、二つの小側壁、前記主側壁と前記小側壁との間に各々が形成された四つの長手縁、および各々が端壁と側壁との間に形成された長手を横切る八つの横縁を含みかつ前記上下端壁によって結合された側面を含み、かつ前記蓋が前記後の主側壁に形成された蝶番に沿ってかつ前記長手縁と実質的平行に蝶番止めされ、かつ前記蓋が前記上下端壁の一部、前記主側壁の一部、および小側壁を含む。かかるタバコ製品用硬質包装容器において、本発明による前記包装容器は、タバコ製品を収容するための第二容器を含み、かつ第二容器は、第二容器が第一容器の内側へ完全に挿入される挿入位置と、第二容器の一部が第一容器から引き出されて第一容器の開放端から突出する引き出し位置との間で、第一容器に対して滑動するために滑動可能に第一容器の内側に収容されていることを特徴とする。
【０００８】
更に、本発明によれば、タバコ製品用硬質包装容器が提供される。前記包装容器は、開放端を有する容器、および前記開放端を開閉する開放位置と閉鎖位置間で回転するために前記容器に蝶番止めされた蓋を含み、前記蓋が閉鎖位置のときに前記容器は実質的平行六面体を形成し、かつそれぞれ上および下の二つの端壁、ならびに前および後の二つの主側壁、二つの小側壁、前記主側壁と前記小側壁との間に各々が形成された四つの長手縁、および各々が端壁と側壁との間に形成された長手を横切る方向の八つの横縁を含みかつ前記上下端壁に結合された側面を含み、かつ前記蓋が前記後の主側壁に形成された蝶番に沿ってかつ前記長手縁と実質的平行に蝶番止めされ、かつ前記蓋が前記上下端壁の一部、前記主側壁の一部、および小側壁を含み、前記容器がカラーを有し、前記カラーが前記開放端から一部突出し、前記容器の少なくとも上端壁でタバコ製品の抜き出し開口を形成し、かつ前記蓋が閉鎖位置のときに前記蓋の対応する内面と係合する。かかる包装容器において、本発明によるタバコ製品用硬質包装容器は、前記蓋が閉鎖位置のときに、少なくとも前記前主側壁で、前記蓋の縁は前記容器の縁から分離して前記開放端から突出する下にあるカラーの部分を一部露出させることを特徴とする。
【発明を実施するための最良の形態】
【０００９】
次に添付図面を参照して本発明の非制限的実施形態を例示として説明する。
添付図面において参照番号１は、シート状フォイルに整然と包まれた一群２のシガレットを収容する硬質シガレットパケットの全体を示し、かつ開放端４を有するカップ形容器３を含む。カップ形蓋５は容器３に連結され、かつ開放端４を開閉する開放位置（図２）と閉鎖位置（図１）との間で容器３に対して回転するように蝶番６（図３および５に示されている）に沿って容器３に蝶番止めされている。
【００１０】
蓋５が閉鎖位置のときに、容器３は実質的矩形の平行六面体であり、側面、および相互に平行に対面しかつ前記側面を結合する上下二つのフラットな同一端壁７および８を含む。容器３の側面は、平行に対面する二つのフラットな小側壁９、および小側壁９と交差する二つのフラットな相互に対面する主側壁１０および１１を含む。更に、具体的には、一方の主側壁１０は容器３の前壁を形成し、かつ他方の主側壁１１は容器３の後壁を形成する。
【００１１】
四つの長手縁１２が小側壁９と主側壁１０，１１との間に形成される。更に、長手を横切る八つの横縁１３が端壁７，８と側壁９，１０，１１との間に形成され、長手縁１２と交差し、かつ端壁７，８と主側壁１０，１１間に形成される横方向の主縁１３、および端壁７，８と小側壁９間に形成される横方向の小縁１３に分割されている。
【００１２】
更に具体的には、蓋５が容器３の端壁７，８の一部、主側壁１０，１１の一部、および小側壁９を含むように、蝶番６は後主側壁１１に形成されかつ容器３の長手縁１２と平行である。
【００１３】
シガレット群２を収容する他の容器１４は、容器３の内側に滑動可能に収容され、かつ容器１４が容器３の内側へ完全に挿入される挿入位置（図１）と、容器１４の一部が容器３から引き出されて容器３の開放端４から突出する引き出し位置（図２）との間を滑動する。
【００１４】
容器１４は、平行六面体であり、かつ上端壁１５、下端壁１６、および上下端壁１５と１６により結合された側面を含み、かつ二つの平行に対峙する主側壁１７、および四つの長手縁１９により主側壁１７から分離した二つの平行に対峙する小側壁を含む。容器１４の側壁１７および１８は、長手を横切る八つの横縁２０により上下端壁１５および１６から分離し、主側壁１７と端壁１５および１６との間で四つの主横縁２０に、かつ小側壁１８と端壁１５および１６との間で四つの小横縁２０に分割されている。
【００１５】
容器１４の上端壁１５は、開放部２１を含み、開放部２１は主側壁１７の一部に沿って延在し、かつ容器１４が引き出し位置（図２）のときに容器１４からのシガレットの抜き取りを可能にする。更に、具体的には、容器１４の内側のシガレット群２内のシガレットは容器１４の長手縁１９に平行に配置され、従って容器３の長手縁１２に平行である。
【００１６】
容器１４の長手縁１９は円弧形縁に形成されている。即ち、長手縁１９は１／４の円筒面で形成されて側壁１７および１８を一定の曲率半径（好適にはシガレットの半径よりも僅かに大きい半径）に連結している。容器１４の横縁および容器３の長手縁１２および１３はシャープな四角縁である。図示されていない異なる実施形態において、容器３の長手縁１２は、同様に円弧状縁に形成される。図示されていない他の実施形態において、容器３の幾つかの横縁および／または容器１４の幾つかの横縁２０は四角ではない円弧状縁であってよく、そのようにして長手縁１２および／または１９は四角でなく円弧状に形成される。
【００１７】
図示されていない他の実施形態において、容器１４の長手縁１９および２０の全部および容器３の長手縁１２および１３の全部がシャープな四角い縁であっても、または容器１４の縁１９および２０の幾つかおよび／または容器３の縁１２および１３の幾つかが円弧形または面取りした四角い角のない縁に形成される。選択的に、容器３，１４の少なくとも一方の側壁９，１０，１１，１７，１８の少なくとも一つが外方に突出した形態を有し、シャープ長手縁１２，１９に沿って少なくとも一つの対応する側壁９，１０，１１，１７，１８に連結され、かつ側壁９，１０，１１，１７，１８と実質的鈍角の二面角を形成する。または容器３，１４の少なくとも一方の側壁９，１０，１１，１７，１８の少なくとも一つは外方に突出した形態を有し、シャープ横縁１３，２０に沿って端壁７，８，１５，１６の対応する少なくとも一つの端壁に連結され、かつその端壁と実質的鈍角の二面角を形成する。
【００１８】
例示としての上述の実施形態は、特許出願ＥＰ−Ａ１−１０６６２０６、ＩＴ−ＢＯ０１Ａ０００５８４、またはＥＰ−Ａ１−０７６４５９５に記載されたシガレットパケットの形態を実質的に再現してよい。
【００１９】
容器１４が挿入位置（図１）にあるときに、容器１４の各側壁１７，１８は、自明なように、容器３の対応する側壁１０，１１，９に対面しかつ整列する。更に、具体的には、両容器１４および３は少量の間隙によりシガレット群２と容器１４を収容する寸法に形成され、容器３および１４を形成するために必要な包装材料の量を最小限にし、かつ容器１４内のシガレット群２、そして容器３の内側の容器１４の移動を最小限にする。自明なように、容器１４からのシガレット、そして容器３からの、容器１４の使用者による容易引き抜きを可能にするために、一定量の隙間がシガレット群２と容器１４との間、そして容器１４と容器３との間に必要とされる。
【００２０】
容器３の小側壁９は使用者の指の挿入を可能にする形状および寸法の孔２２（図３）を有し、かつ孔２２は、容器１４が挿入位置（図１）のときに、孔２２に対面する容器１４の小側壁１８上に使用者が圧力を加えることにより容器３から容器１４を引き出すことを促進するのに役立つ。
【００２１】
図示されていない実施形態において、パケット１は容器３に対する容器１４の滑動を制限するための停止手段を含み、かつそのようにして容器３からの容器１４の分離を阻止する。この停止手段は容器１４の主側壁１７から突出する二つの舌部、および容器３の主側壁１０および１１から突出する二つの舌部により形成される。容器１４の各舌部は、主側壁１７から容器１４の外方へ突出し、容器３の各舌部は主側壁１０，１１から容器３の内方へ突出しかつ容器３の開放端４の近くに位置する。容器３の各舌部は、容器１４が容器３から滑り出るときに容器１４の対応する舌部と係合するように位置決めされ、そのようにして容器１４の容器３からの分離を防止する。
【００２２】
図示されていない実施形態によれば、蓋５が閉鎖位置のときに、容器３の前主側壁１９で蓋５の縁３１は容器３の縁３１から分離してその下にある容器１４を部分的に露出させる。
【００２３】
図４に示されてように、容器１4は対応するフラットブランクから形成され、ブランクは実質的に細長い矩形であり、かつその構成要素は、容器１４の対応部に関して可能であれば同一参照番号を使用して示されている。
【００２４】
ブランク２３は、二つの群の長手折り目線２５、二つの群２４の長手折り目線２５間に上端壁１５の一部を形成するパネル１５’、一方の主側壁１７を形成するパネル１７’、下端壁１６を形成するパネル１６’、他方の主側壁１７を形成するパネル１７”、および上端壁１５の一部を形成するパネル１５”を形成する複数の横折り目線２６を含む。パネル１７’は、二つのウイング１８’を含み、二つのウイング１８’はパネル１７’の両側にありかつ二群２４の長手折り目線２５によりパネル１７’から分離し、かつ小側壁１８の外部を形成する。パネル１７”は二つのウイング１８”を含み、パネル１８”はパネル１７”の両側にありかつ二群２４の長手折り目線２５によりパネル１７”から分離し、かつ小側壁１８の内部を形成する。ウイング１８”は他の二つのウイング１６”に連結され、二つのウイング１６”は下端壁１６の内部を形成し、かつ各群２４の長手折り目線２５は複数の長手折り目線２５を含みかつ容器１４の二つの円弧状長手縁１９を形成する。
【００２５】
図５に示されたように、容器３は対応するフラットブランク２７から形成され、このブランクは実質的矩形であり、かつその構成要素は、容器３の対応部に関して、可能であれば、同一参照番号を使用して表示されている。
【００２６】
ブランク２７は、二つの長手折り目線２８、および二つの長手折り目線２８間に前主側壁１０の一部を形成するパネル１０’、一方の小側壁９を形成するパネル９’、後主側壁１１を形成するパネル１１’、他方の小側壁９を形成するパネル９”、および前主側壁１０の残部を形成するパネル１０”を形成する複数の横折り目線２９を含む。パネル１０’，１１’，１０”はそれぞれ対のウイング７’および８’を有し、対のウイング７’および８’はパネル１０’，１１’，１０”の両側に位置し、長手折り目線２８によりパネル１０’，１１’，１０”から分離し、かつ端壁７，８を形成する。パネル１１’の各ウイング７’，８’は二つのウイング９”’を有し、ウイング９”’はウイング７’，８’の両端に位置し、横折り目線２９によりウイング７’，８’から分離しかつ小側壁９の内部を形成する。
【００２７】
図６および７に示された他の実施形態において、パケット１は単に容器３を含むのみであり、シガレット群２はそこに収容されている。更に具体的には、容器３は開放端４から一部突出したカラー３０を含み、かつカラー３０は、蓋５が閉鎖位置のときに、蓋５の対応する内面と係合する。更に詳細には、図７のカラー３０は円弧状露出長手縁を有する。選択的に、カラー３０の露出長手縁は面取りまたは四角くてよい。更に具体的には、容器３の内側のシガレット群２のシガレットは容器３の長手縁１２に平行であり、かつカラー３０は上端壁７、前主側壁１０、および小側壁９でシガレット引き出し開口部を形成する。
【００２８】
蓋５が閉鎖位置のときに、前主側壁１０で蓋５の縁３１は容器３の縁３１から分離して開放端４から突出する下カラー３０の部分を一部露出させる。容器３の前主側壁１０に沿って、蓋５の縁３１は容器３の縁３１に平行であり、そのようにして蓋５の縁３１と容器３の縁３１との間の間隔を一定にする。更に、蓋５が閉鎖位置のときに、端壁７および８で蓋５の縁３１は容器３の縁３１と実質的に接触する。
【００２９】
図９および１０に示された他の実施形態において、容器３の前主側壁１０に沿って、蓋５の縁３１と容器３の縁３１間の間隔は変化している。図６，７，９，１０に示されたように、蓋５の縁３１と容器３の縁３１は、自明なように、直線（図６および７）、曲折線（図１０）または湾曲線（図９）により形成されてよい。
【００３０】
図８に示されたように、図６および７の容器３は対応するフラットブランク２７から形成され、ブランク２７は実質的矩形であり、かつその構成要素は、容器３の対応部に関して可能であれば同一参照番号を使用して示されている。
【００３１】
ブランク２７は、二つの長手折り目線２８、および二つの長手折り目線２８間に前主側壁１０の一部を形成するパネル１０’、一方の小側壁９を形成するパネル９’、後主側壁１１を形成するパネル１１’、他方の小側壁９を形成するパネル９”、および前主側壁１０の残部を形成するパネル１０”を形成する複数の横折り目線２９を含む。パネル１０’，１１’，１０”は、対のウイング７’，８’を有し、ウイング７’，８’はパネル１０’，１１’，１０”の両側に位置し、長手折り目線２８によりパネル１０’，１１’，１０”から分離し、かつ端壁７，８を形成する。パネル１１’の各ウイング７’，８’は二つのウイング９”’を有し、二つのウイング９”’はウイング７’，８’の両端に位置し、横折り目線２９によりウイング７’，８’から分離し、かつ小側壁９の内部を形成する。
【００３２】
試験の結果、上述のシガレットパケット１の解剖学的形状は使用者による取り扱いが容易であることが証明された。更に、蓋５が容器３の側（端壁７，８、主側壁１０，１１の一部、および小側壁９を含む）に位置することは、パケット１が使用者のポケット内にあるときに蓋５の偶発的開放に対する防護策となり、そのようにしてパケット１の内側のシガレットを効果的に保護する。
【００３３】
上述のシガレットパケット１の数々の利点を有する場合に、パケット１の形態は他のタイプのタバコ製品用の硬質容器、シガレットパケットのカートン、またはシガーパケット等の製造に全体として適用できる。
【図面の簡単な説明】
【００３４】
【図１】本発明による硬質シガレットパケットの閉鎖位置における好適形態の前方斜視図を示す。
【図２】図１の硬質シガレットパケットの開放位置の前方斜視図を示す。
【図３】図１の硬質シガレットパケットの分解斜視図を示す。
【図４】図１から３の硬質シガレットパケットの内容器を形成するブランクの平面図を示す。
【図５】図１から３の硬質シガレットパケットの外容器を形成するブランクの平面図を示す。
【図６】本発明による硬質シガレットパケットの閉鎖位置における他の好適形態の前方斜視図を示す。
【図７】図６の硬質シガレットパケットの開放位置の前方斜視図を示す。
【図８】図６および７の硬質シガレットパケットの容器を形成するブランクの平面図を示す。
【図９】図６および７の硬質シガレットパケットの変形形態の前方斜視図を示す。
【図１０】図６および７の硬質シガレットパケットの他の変形形態の前方斜視図を示す。
【図１】
2006500296.tif 000003
【図２】
2006500296.tif 000004
【図３】
2006500296.tif 000005
【図４】
2006500296.tif 000006
【図５】
2006500296.tif 000007
【図６】
2006500296.tif 000008
【図７】
2006500296.tif 000009
【図８】
2006500296.tif 000010
【図９】
2006500296.tif 000011
【図１０】
2006500296.tif 000012
【国際調査報告】
2006500296.tif 000013
2006500296.tif 000014
2006500296.tif 000015
2006500296.tif 000016
2006500296.tif 000017
2006500296.tif 000018